(57)【要約】【課題】  光ファイバ保持器具を作成するにあたり、従来はトレイの上に余長光ファイバの形状を保持するツメを設ける必要があるため、保持器具の高さが大きくなってしまい、また、ツメの向きが複数方向に向いているため複雑化し、コスト高になってしまうという問題がある。本発明の目的は、小型化ができ、かつ低コストで作成できる光ファイバの余長処理機能を備えた光ファイバ保持器具を提供する。【解決手段】  本発明の光ファイバ保持器具にはトレイと、このトレイの側面に位置するガイド部と、保持器具を基板に固定するネジ穴を備えた脚部を設けており、保持器具と基板で挟み込むようにして光ファイバの形状保持を行う。さらに本発明の光ファイバ保持器具には、保持器具の中心に対して常に外向きであるガイドを備えている。【選択図】  図２
2007017556.tif 000002
【特許請求の範囲】
【請求項１】
光伝送モジュール内で電気部品、電子部品及び光学部品で構成される基板にネジ固定し、余長光ファイバの形状保持を行うことができる光ファイバ保持器具において、保持器具と基板で挟み込むようにして光ファイバ形状保持を行うことができる光ファイバ保持器具。
【請求項２】
前記保持器具において、光ファイバを固定するために、保持器具の中心に対して常に外向きであるガイドを備えていることを特徴とする光ファイバ保持器具。
【請求項３】
前記保持器具において、光ファイバを固定するために保持器具の中心に対して常に外向きであるガイドと一対な押さえ板を備えていることを特徴とする光ファイバ保持器具。
【請求項４】
前記保持器具において、基板からの高さが基板に搭載された電気部品等各種部品程度の厚みであることを特徴とする光ファイバ保持器具。
【請求項５】
前記保持器具において、基板に搭載される各種部品の高さ制限を緩和するためトレイに切抜きを設けていることを特徴とする光ファイバ保持器具。
【発明の詳細な説明】
【技術分野】
【０００１】
本発明は、光ファイバの弾性力を利用した余長ファイバ処理機能を備えた光ファイバ保持器具に関するものである。
【背景技術】
【０００２】
光伝送モジュール内部にて光学部品同士をファイバ接続する際には、ファイバを劣化させないよう最小曲げ半径を確保する必要がある。ファイバの処理方法として、特開2003-107249（特許文献１）や特開2003-322726（特許文献２）に記載されてある光ファイバ保持構造を用いる方法があるが、いずれも光モジュール内部に収まらないような大きい構造となる。
【０００３】
また、図１のように電気部品、電子部品、光学部品を搭載した基板101上に余長処理トレイ102をネジ103で固定し余長処理を行う方法がある。ファイバの外側に広がろうとする弾性を利用して余長処理を行うため、トレイ102上面にガイド104a, 104b, 104c, 104d, 104e, 104fを設けてファイバ形状を保持する。またファイバ形状が崩れるのを防止するため、ツメ105a, 105b, 105c, 105d, 105e, 105fをトレイ上に設ける必要がある。
【０００４】
【特許文献１】特開2003-107249
【特許文献２】特開2003-322726
【発明の開示】
【発明が解決しようとする課題】
【０００５】
しかしながら従来の光ファイバ余長処理トレイを作成するにあたり、ツメの形状がトレイ中心方向を向いているため形状が複雑となり、曲げ加工を複数回要するなど、コスト高になるという問題がある。またトレイ下に電気部品等各種部品を搭載する隙間を設けつつ、トレイ上に光ファイバを保持するツメを設ける必要があるため、保持器具の高さが高くなり、光伝送モジュール内に収まらない可能性がある。従って形状を簡略化し低コストで作成でき、かつ高さの低い光ファイバ保持器具を提供する必要がある。
【課題を解決するための手段】
【０００６】
本発明の光ファイバ保持器具は、トレイと、このトレイの側面に位置する押さえ板と、押さえ板に一対であるガイドと、光ファイバ保持器具を基板に固定するネジ穴を備えた脚部を設けている。本発明の押さえ板とガイドは、トレイ側面に1個、または複数個形成され、ツメは不要である。
【０００７】
また本発明の光ファイバ保持器具は、トレイ下に電気部品等各種部品を搭載するための隙間を設けつつ、同一面でファイバ保持を実施できるため高さを抑えることができる。さらに本発明の光ファイバ保持器具は、トレイに単数箇所または複数箇所切抜きを設けることにより、電気部品等各種部品の高さに依存しない高さで作成することができる。
【発明の効果】
【０００８】
本発明の光ファイバ保持器具は簡単な構造をしているため作成が容易であり、プレス加工のみで作成可能なためコスト削減を図ることができる。また保持器具の高さを小さくすることができるため、小型化する光モジュールにおいても対応することができる。
【発明を実施するための最良の形態】
【０００９】
以下に図を用いて本発明の詳細について説明する。
【実施例１】
【００１０】
図2は本発明の実施例である。電気部品、電子部品、光学部品等を搭載した基板201にネジ202を用いて光ファイバ保持器具203を固定する。ファイバ保持器具203と基板201の間に光ファイバ204が円を描くようにルーティングを行う。
【００１１】
振動や衝撃により余長処理した光ファイバ204の形状が崩れることを防止するため、基板と垂直方向の形状保持にはトレイ205を、水平方向の保持にはガイド206a, 206bを設けている。保持器具で円を描くように光ファイバの余長処理を行っているため、両側のガイド206a, 206bの間隔は光ファイバ204の許容曲げ半径を考慮する必要がある。
【００１２】
また、保持器具を固定するための脚207の高さは、基板201上に搭載する電気部品の高さと光ファイバ204の直径を考慮する必要がある。
【００１３】
図3は本発明の断面図である。基板301、トレイ302とガイド303a, 303bで光ファイバ304a, 304bの余長処理を行っており、振動や衝撃に対して余長処理が崩れるのを防いでいる。基板301からトレイ302までの高さは、基板301上に搭載されている各種部品の高さを考慮する必要がある。材質は本実施例では金属板をプレス加工して形成しているが、合成樹脂でもかまわない。
【実施例２】
【００１４】
前記実施例において、トレイ401は切抜きを行っていないが、基板上に搭載されている各種部品の高さ制限を緩和するために、図4のように切抜き401a, 402bをトレイ401に設けてもよい。切抜き402a, 402bを設ける場合は、トレイ401が作業中に変形しないように切抜きの個数や形状を考慮する必要がある。
【実施例３】
【００１５】
前記実施例において、ファイバ固定のためガイド501a, 501b, 501c, 501dを設けているが、図5のように押さえ板502a, 502b, 502c, 502dを設けてもよい。この場合余長処理した光ファイバの、基板と垂直方向の形状保持をより精度よく行うことができる。また、押さえ板を設ける際に、基板上に搭載されている電気部品等各種部品の位置や高さを考慮する必要がある。
【図面の簡単な説明】
【００１６】
【図１】従来の光ファイバ保持器具を示す斜視図である。
【図２】本発明の光ファイバ保持器具を示す斜視図である。
【図３】本発明の光ファイバ保持器具の一部を断面にして示す側面図である。
【図４】本発明の光ファイバ保持器具のその他の実施例を示す斜視図である。
【図５】本発明の光ファイバ保持器具のその他の実施例を示す斜視図である。
【符号の説明】
【００１７】
１０１・・・基板、１０２・・・余長処理トレイ、１０３・・・ネジ、１０４a・・・ガイドa、１０４b・・・ガイドb、１０４c・・・ガイドc、１０４d・・・ガイドd、１０４e・・・ガイドe、１０４f・・・ガイドf、１０５a・・・ツメa、１０５b・・・ツメb、１０５c・・・ツメc、１０５d・・・ツメd、１０５e・・・ツメe、１０５f・・・ツメf、２０１・・・基板、２０２・・・ネジ、２０３・・・光ファイバ保持器具、２０４・・・光ファイバ、２０５・・・トレイ、２０６a・・・ガイドa、２０６b・・・ガイドb、３０１・・・基板、３０２・・・トレイ、３０３a・・・ガイドa、３０３b・・・ガイドb、４０１・・・トレイ、４０２a・・・切り抜きa、４０２b・・・切り抜きb、５０１a・・・ガイドa、５０１b・・・ガイドb、５０１c・・・ガイドc、５０１d・・・ガイドd、５０２a・・・押さえ板a、５０２b・・・押さえ板b、５０２c・・・押さえ板c、５０３d・・・押さえ板d
【図１】
2007017556.tif 000003
【図２】
2007017556.tif 000004
【図３】
2007017556.tif 000005
【図４】
2007017556.tif 000006
【図５】
2007017556.tif 000007